【手続補正書】
【提出日】平成24年9月28日(2012.9.28)
【手続補正１】
【補正対象書類名】特許請求の範囲
【補正対象項目名】全文
【補正方法】変更
【補正の内容】
【特許請求の範囲】
【請求項１】
入力画像データが入力される画像処理装置であって、 画像データを圧縮して圧縮画像データを生成する圧縮器と、 前記圧縮画像データを記憶するメモリーと、  前記メモリーに記憶された前記圧縮画像データを伸長し第１の画像データを生成する第１の伸長器と、を含み、 前記画像データは、前記入力画像データ、又は、前記第１の画像データの一部の画素データが前記入力画像データにおける前記一部の画素に対応する位置の画素データに置換された第２の画像データであることを特徴とする画像処理装置。
【請求項２】
前記一部の画素データの位置を指定する制御データを保持する制御レジスターを含み、 前記制御データは、画像の水平方向の書き換え開始位置、前記水平方向の書き換え終了位置、該画像の垂直方向の書き換え開始位置、及び前記垂直方向の書き換え終了位置を規定するデータであり、 前記第２の画像データは、前記制御データを基にして生成されることを特徴とする請求項１に記載の画像処理装置。
【請求項３】
前記圧縮器が、１走査ライン単位に前記画像データの圧縮処理を行い、 前記第１の伸張器が、 前記１走査ライン単位に前記メモリーから前記圧縮画像データを読み出し、前記圧縮画像データに基づいて前記圧縮処理に対応した伸張処理を行うことを特徴とする請求項１又は２に記載の画像処理装置。
【請求項４】
前記圧縮器が、１走査ラインを分割したブロック単位で前記画像データの圧縮処理を行い、 前記第１の伸張器が、前記ブロック単位若しくは前記１走査ライン単位に前記メモリーから前記圧縮画像データを読出し、前記圧縮画像データに基づいて前記圧縮処理に対応した伸張処理を行うことを特徴とする請求項１又は２に記載の画像処理装置。
【請求項５】
更に、前記メモリーから出力された前記圧縮画像データを伸長し第３の画像データを生成する第２の伸長器と、を含み、  前記第３の画像データは、前記画像データの表示に用いられることを特徴とする請求項１乃至４のいずれか１項に記載の画像処理装置。
【請求項６】
請求項１乃至５のいずれか１項に記載の画像処理装置と、  前記第１の画像データに基づいて画像を表示する画像表示装置と、を含むことを特徴とする画像表示システム。
【請求項７】
請求項１乃至５のいずれか１項に記載の画像処理装置と、 前記第３の画像データに基づいて画像を表示する画像表示装置と、を含むことを特徴とする画像表示システム。
【請求項８】
請求項１乃至５のいずれか１項に記載の画像処理装置を含むことを特徴とする電子機器。
【請求項９】
請求項６又は７に記載の画像表示システムを含むことを特徴とする電子機器。
【請求項１０】
入力されるに入力画像データを扱う画像処理方法であって、 画像データを圧縮した圧縮画像データをメモリーに格納する第１のステップと 前記メモリーから読み出した前記圧縮画像データを伸張して第１の画像データを生成する第２のステップと、 前記第１の画像データの一部の画素データが前記入力画像データにおける前記一部の画素に対応する位置の画素データに置換された、第２の画像データを生成する第３のステップと、 前記入力画像データ又は前記第２の画像データのいずれかを選択し、前記画像データとする第４のステップと、を含むことを特徴とする画像処理方法。
【請求項１１】
前記第３のステップは、画像の水平方向の書き換え開始位置、前記水平方向の書き換え終了位置、該画像の垂直方向の書き換え開始位置、及び前記垂直方向の書き換え終了位置に対応した制御データに基づいて行われることを特徴とする請求項１１に記載の画像処理方法。
【請求項１２】
前記第１のステップ並びに前記第２のステップは、前記制御データに基づいて行われることを特徴とする請求項１２に記載の画像処理方法。
【請求項１３】
前記第１のステップにおいて、 前記画像データに対して１走査ライン単位の圧縮処理が行われ、 前記第２のステップにおいて、 前記圧縮画像データは前記１走査ライン単位に前記メモリーから読み出され、前記圧縮画像データに基づいて前記圧縮処理に対応した伸張処理が行われることを特徴とする請求項１１乃至１３に記載の画像処理方法。
【請求項１４】
前記第１のステップにおいて、 前記画像データに対して１走査ラインを分割したブロック単位の圧縮処理が行われ、 前記第２のステップにおいて、 前記圧縮画像データは前記ブロック単位若しくは前記１走査ライン単位に前記メモリーから読み出され、前記圧縮画像データに基づいて前記圧縮処理に対応した伸張処理が行われることを特徴とする請求項１１乃至１３に記載の画像処理方法。
【手続補正２】
【補正対象書類名】明細書
【補正対象項目名】０００７
【補正方法】変更
【補正の内容】
【０００７】 本発明にかかるひとつの画像処理装置は、画像処理装置が、入力画像データが入力される画像処理装置であって、画像データを圧縮して圧縮画像データを生成する圧縮器と、前記圧縮画像データを記憶するメモリーと、前記メモリーに記憶された前記圧縮画像データを伸長し第１の画像データを生成する第１の伸長器と、を含み、前記画像データは、前記入力画像データ、又は、前記第１の画像データの一部の画素データが前記入力画像データにおける前記一部の画素に対応する位置の画素データに置換された第２の画像データであることを特徴とする。  上記ひとつの画像処理装置において、前記一部の画素データの位置を指定する制御データを保持する制御レジスターを含み、前記制御データは、画像の水平方向の書き換え開始位置、前記水平方向の書き換え終了位置、該画像の垂直方向の書き換え開始位置、及び前記垂直方向の書き換え終了位置を規定するデータであり、前記第２の画像データは、前記制御データを基にして生成されることが好ましい。  上記ひとつの画像処理装置において、前記圧縮器が、１走査ライン単位に前記画像データの圧縮処理を行い、前記第１の伸張器が、前記１走査ライン単位に前記メモリーから前記圧縮画像データを読み出し、前記圧縮画像データに基づいて前記圧縮処理に対応した伸張処理を行うことが好ましい。  上記ひとつの画像処理装置において、前記圧縮器が、１走査ラインを分割したブロック単位で前記画像データの圧縮処理を行い、前記第１の伸張器が、前記ブロック単位若しくは前記１走査ライン単位に前記メモリーから前記圧縮画像データを読出し、前記圧縮画像データに基づいて前記圧縮処理に対応した伸張処理を行うことが好ましい。  上記ひとつの画像処理装置において、更に、前記メモリーから出力された前記圧縮画像データを伸長し第３の画像データを生成する第２の伸長器と、を含み、前記第３の画像データは、前記画像データの表示に用いられることが好ましい。  本発明にかかるひとつの画像表示システムは、上記のひとつの画像処理装置と、前記第１の画像データに基づいて画像を表示する画像表示装置と、を含むことを特徴とする。  本発明にかかる他のひとつの画像表示システムは、上記のひとつの画像処理装置と、  前記第３の画像データに基づいて画像を表示する画像表示装置と、を含むことを特徴とする。  本発明にかかるひとつの電子機器は、上記のひとつの画像処理装置を含むことを特徴とする。  本発明にかかる他のひとつの画像表示機器は、上記のひとつの画像表示システムを含むことを特徴とする。  本発明にかかるひとつの画像処理方法は、入力されるに入力画像データを扱う画像処理方法であって、画像データを圧縮した圧縮画像データをメモリーに格納する第１のステップと前記メモリーから読み出した前記圧縮画像データを伸張して第１の画像データを生成する第２のステップと、前記第１の画像データの一部の画素データが前記入力画像データにおける前記一部の画素に対応する位置の画素データに置換された、第２の画像データを生成する第３のステップと、前記入力画像データ又は前記第２の画像データのいずれかを選択し、前記画像データとする第４のステップと、を含むことを特徴とする。  上記のひと���の画像処理方法において、前記第３のステップは、画像の水平方向の書き換え開始位置、前記水平方向の書き換え終了位置、該画像の垂直方向の書き換え開始位置、及び前記垂直方向の書き換え終了位置に対応した制御データに基づいて行われることが好ましい。  上記のひとつの画像処理方法において、前記第１のステップ並びに前記第２のステップは、前記制御データに基づいて行われることが好ましい。  上記のひとつの画像処理方法において、前記第１のステップにおいて、前記画像データに対して１走査ライン単位の圧縮処理が行われ、前記第２のステップにおいて、前記圧縮画像データは前記１走査ライン単位に前記メモリーから読み出され、前記圧縮画像データに基づいて前記圧縮処理に対応した伸張処理が行われることが好ましい。  上記のひとつの画像処理方法において、前記第１のステップにおいて、前記画像データに対して１走査ラインを分割したブロック単位の圧縮処理が行われ、前記第２のステップにおいて、前記圧縮画像データは前記ブロック単位若しくは前記１走査ライン単位に前記メモリーから読み出され、前記圧縮画像データに基づいて前記圧縮処理に対応した伸張処理が行われることが好ましい。  （１）本発明の一態様は、画像処理装置が、当該画素の周囲の少なくとも一部の画素の画像データを参照して前記当該画素の画像データを圧縮する圧縮器と、前記圧縮器によって圧縮された圧縮画像データを記憶するメモリーと、前記メモリーに記憶された前記圧縮画像データを伸張する第１の伸張器とを含み、前記第１の伸張器が、入力画像データに対応して前記メモリーに記憶される圧縮画像データを伸張して伸張画像データを生成し、前記圧縮器が、前記入力画像データにより前記伸張画像データを更新した更新画像データを圧縮し、圧縮画像データとして前記メモリーに書き戻す。